【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
クライアント端末と接続して通信を行なう通信部と、
前記クライアント端末の現在位置を推定するとともに、前記現在位置から前記目的地までの移動経路を予測する移動予測部と、
予測された前記移動経路上における前記クライアント端末の通信状況を予測する通信予測部と、
前記予測された通信状況に基づいて、前記クライアント端末との情報転送並びに同期処理を制御する同期制御部と、
を具備することを特徴とする情報処理装置。
【請求項２】
クライアント端末を所持するユーザーの目的地を推定する内容解析部をさらに備える、
ことを特徴とする請求項１に記載の情報処理装置。
【請求項３】
ユーザーのプライベート・コンテンツを保持するプライベート・コンテンツ・データベースを備え、
前記内容解析部は、前記プライベート・コンテンツ・データベースに保持されているユーザーのプライベート・コンテンツの内容を解析し、得られた行動予定に基づいてユーザーの目的地を推定する、
ことを特徴とする請求項２に記載の情報処理装置。
【請求項４】
前記プライベート・コンテンツ・データベースに保持されるプライベート・コンテンツは、ユーザーが作成又は編集した予定表、電子メール、メモ帳のうち少なくとも１つを含む、
ことを特徴とする請求項２に記載の情報処理装置。
【請求項５】
前記プライベート・コンテンツ・データベースに保持されるプライベート・コンテンツは、ユーザーの行動履歴を含む、
ことを特徴とする請求項２に記載の情報処理装置。
【請求項６】
前記行動履歴は、ユーザーのログインＩＤ、ログイン日時、ログイン場所、ログオフ日時、ログオフ場所、交通系履歴、各種商品の購入履歴、放送番組その他のコンテンツの視聴履歴、各種情報機器の操作履歴のうち少なくとも１つを含む、
ことを特徴とする請求項５に記載の情報処理装置。
【請求項７】
前記移動予測部は、前記クライアント端末から取得したセンサー情報に基づいて前記現在位置を推定する、
ことを特徴とする請求項１に記載の情報処理装置。
【請求項８】
前記センサー情報は、加速度センサーにより測定された加速度情報、又は、画像認識装置による画像認識結果、前記クライアントの移動状態を推定するためのその他のセンサー情報のうち少なくとも１つを含む、
ことを特徴とする請求項６に記載の情報処理装置。
【請求項９】
各地点における基地局又はアクセスポイントの通信情報を保持する通信情報データベースを備え、
前記通信予測部は、前記通信情報データベースに基づいて、前記移動経路上における前記クライアント端末と基地局又はアクセスポイントとの接続状態を予測する、
ことを特徴とする請求項１に記載の情報処理装置。
【請求項１０】
前記通信情報は、各地点における基地局又はアクセスポイントの伝送レート又は受信電波強度のうち少なくとも１つを含む、
ことを特徴とする請求項９に記載の情報処理装置。
【請求項１１】
前記通信予測部は、前記移動経路上で前記クライアント端末がいずれの基地局又はアクセスポイントとも接続不能なオフライン・エリアに到達するオフライン予測位置又はオフライン予測時間、及び、前記クライアント端末がいずれかの基地局又はアクセスポイントと接続可能なオンライン・エリアに復帰するオンライン復帰予測位置又はオンライン復帰予測時間を予測する、
ことを特徴とする請求項１に記載の情報処理装置。
【請求項１２】
前記同期制御部は、前記通信予測部が前記移動経路上に前記クライアント端末がいずれの基地局又はアクセスポイントとも接続不能なオフライン・エリアがあると予測したことに応じて、前記クライアント端末がオフライン状態で必要な情報を、前記クライアント端末が前記オフライン・エリアに到達する前に優先して送信する、
ことを特徴とする請求項１に記載の情報処理装置。
【請求項１３】
前記同期制御部は、前記クライアント端末がいずれかの基地局又はアクセスポイントと接続可能なオンライン・エリアに復帰すると、前記クライアント端末に対して前記オフライン状態で必要な情報の削除を要求する、
ことを特徴とする請求項１２に記載の情報処理装置。
【請求項１４】
前記クライアント端末がオフライン状態で必要な情報を暗号化して前記クライアント端末にあらかじめ供給しておき、
前記同期制御部は、前記通信予測部が前記移動経路上に前記クライアント端末がいずれの基地局又はアクセスポイントとも接続不能なオフライン・エリアがあると予測したことに応じて、前記暗号化した情報の復号用の鍵を、前記クライアント端末が前記オフライン・エリアに到達する前に送信する、
ことを特徴とする請求項１に記載の情報処理装置。
【請求項１５】
前記同期制御部は、前記クライアント端末がいずれかの基地局又はアクセスポイントと接続可能なオンライン・エリアに復帰すると、前記クライアント端末に対して前記復号した情報の暗号化と前記復号用の鍵の削除を要求する、
ことを特徴とする請求項１４に記載の情報処理装置。
【請求項１６】
前記クライアント端末が前記オフライン・エリアに到達する前に優先して送信する前記の情報を、所定のデータ量以下となるように、事前に設定する、
ことを特徴とする請求項１２に記載の情報処理装置。
【請求項１７】
前記同期処理部は、前記クライアント端末がオフライン状態で必要な前記の情報のデータ量に基づいて、前記クライアント端末がオフライン状態になる予測時間から遡って送信開始時間を決定する、
ことを特徴とする請求項１２に記載の情報処理装置。
【請求項１８】
前記クライアント端末の現在位置を推定するとともに、前記現在位置から前記目的地までの移動経路を予測する移動予測ステップと、
予測された前記移動経路上における前記クライアント端末の通信状況を予測する通信予測ステップと、
前記予測された通信状況に基づいて、前記クライアント端末との情報転送並びに同期処理を制御する同期制御ステップと、
を有することを特徴とする情報処理方法。
【請求項１９】
サーバーとクライアント端末が無線通信により互いに情報転送、同期をする無線通信システムにおいてサーバーとして動作するための処理をコンピューター上で実行するためのコンピューター・プログラムであって、前記コンピューターを、
クライアント端末と接続して通信を行なう通信部、
前記クライアント端末の現在位置を推定するとともに、前記現在位置から前記目的地までの移動経路を予測する移動予測部、
予測された前記移動経路上における前記クライアント端末の通信状況を予測する通信予測部、
前記予測された通信状況に基づいて、前記クライアント端末との情報転送並びに同期処理を制御する同期制御部、
として機能させるためのコンピューター・プログラム。
【請求項２０】
基地局又はアクセスポイントと無線通信を行なう通信部と、
情報を格納する情報格納部と、
基地局又はアクセスポイントを経由したサーバーとの接続動作、前記通信部の動作、及び、前記情報格納部の格納動作を制御する制御部と、
を備え、
前記制御部は、前記サーバーとの通信状況に基づいて、前記情報格納部の格納動作を制御する、
ことを特徴とする無線通信装置。
【手続補正２】
【補正対象書類名】明細書
【補正対象項目名】０１２７
【補正方法】変更
【補正の内容】
【０１２７】
サーバーは、過去に複数クライアント端末から送信された通信情報を保存する通信情報データベースを持ち、時間、場所に対する、複数の無線システムの通信状態、すなわち、散在する各アクセスポイントのサービス・エリア内における転送レートや電波強度などを把握している（前述）。サーバーは、ステップＳ２６によりクライアント端末の移動経路を得ると、さらに通信予測アルゴリズムに基づいて、クライアント端末の今後の通信情報を予測する。すなわち、サーバーは、予測された移動予測情報（目的地、移動ルート）と各アクセスポイントの受信電波強度などの通信情報を比較することにより、予測された移動経路上にオフライン・エリアがあるか否かを判定する（ステップＳ２７）。
【手続補正３】
【補正対象書類名】明細書
【補正対象項目名】０１３６
【補正方法】変更
【補正の内容】
【０１３６】
ＣＰＵ１００１、ＲＯＭ１００２、及びＲＡＭ１００３は、バス１００５を介して相互に接続されている。また、バス１００５には、記憶部１００４、携帯電話送受信部１００６、無線ＬＡＮ通信部１００７、操作部１００８、ＬＥＤ１００９、バイブレーター１０１０、音声入出力制御部１０１１、マイクロフォン１０１２、スピーカー１０１３、ディスプレイ１０１４、撮像部１０１５、センサー群１０１６、内部時計部１０１７、及び、非接触ＩＣモジュール１０１８が接続されている。当該情報機器では、撮像部１０１５を用いて動画や静止画を撮影することができる。
【手続補正４】
【補正対象書類名】明細書
【補正対象項目名】０１３９
【補正方法】変更
【補正の内容】
【０１３９】
操作部１００８は、ボタン類やジョグダイヤルなどにより構成され、ユーザーからの操作を受け付ける。ユーザー操作としては、電話番号入力や各種設定の他、メール作成やスケジュール記入などの文字入力を挙げることができる。ＬＥＤ１００９は、例えば、ユーザーに情報を提示する際、当該情報機器にユーザーの注意を向けさせるために発光する。また、バイブレーター１０１０は、例えば着信時などにユーザーの注意を向けさせるための振動を当該機器本体に加える。
【手続補正５】
【補正対象書類名】明細書
【補正対象項目名】０１５５
【補正方法】変更
【補正の内容】
【０１５５】
また、ノース・ブリッジ１２０３は、ＡＧＰ１２０４を介して、ビデオ・コントローラー１２０５を接続している。ビデオコントローラー１２０５は、ＣＰＵ１２０１から受信したデータに対応するイメージ・データを生成するか、又は、ＣＰＵ１２０１から受信したイメージ・データをそのまま内蔵するビデオメモリ（図示しない）に記憶するとともに、ビデオメモリ内のイメージ・データに対応する画像をＬＣＤ１２０６又はＶＧＡコントローラー１２０７に表示させる。ＬＣＤ１２０６又はＶＧＡコントローラー１２０７は、ビデオ・コントローラー１２０５から供給されたデータを基に、画像又は文字などを表示する。ここで、ＶＧＡコントローラー１２０７は、ＶＧＡ（Ｖｉｄｅｏ  Ｇｒａｐｈｉｃｓ  Ａｒｒａｙ）方式のディスプレイのことである。
【手続補正６】
【補正対象書類名】明細書
【補正対象項目名】０１５６
【補正方法】変更
【補正の内容】
【０１５６】
また、ノース・ブリッジ１２０３は、ハブ・インターフェー１２１０を介して、サウス・ブリッジ１２１１と相互接続されている。サウス・ブリッジ１２１１は、ＡＣリンク・インターフェース１２１１Ａ、ＵＳＢ（Ｕｎｉｖｅｒｓａｌ  Ｓｅｒｉａｌ  Ｂｕｓ）インターフェース１２１１Ｂ、ＩＤＥ（Ｉｎｔｅｇｒａｔｅｄ  Ｄｒｉｖｅ  Ｅｌｅｃｔｒｏｎｉｃｓ）インターフェース１２１１Ｃ、ＰＣＩ（Ｐｅｒｉｐｈｅｒａｌ  Ｃｏｍｐｏｎｅｎｔ  Ｉｎｔｅｒｃｏｎｎｅｃｔ）インターフェース１２１１Ｄ、ＬＰＣ（Ｌｏｗ  Ｐｉｎ  Ｃｏｕｎｔ）インターフェース１２１１Ｅ、及び、ＬＡＮインターフェース１２１１Ｆなどを内蔵し、ＡＣリンクバス１２１２、ＵＳＢバス１２１７、ＩＤＥバス１２２２に接続されるデバイスを介して接続される各種デバイスの入出力動作などを制御する。
【手続補正７】
【補正対象書類名】明細書
【補正対象項目名】０１５８
【補正方法】変更
【補正の内容】
【０１５８】
ＵＳＢバス１２１７には、ＵＳＢコネクタ１２１８が接続され、各種ＵＳＢデバイスが接続可能である。ＵＳＢインターフェース１２１１Ｂは、ＵＳＢバス１２１７を介して接続されているＵＳＢデバイス（図示しない）にデータを送信するとともにデバイスからデータを受信する。
【手続補正８】
【補正対象書類名】明細書
【補正対象項目名】０１６１
【補正方法】変更
【補正の内容】
【０１６１】
無線ＬＡＮ通信部１２２５は、例えばＩＥＥＥ８０２．１１ａ／ｂなどの無線ＬＡＮ通信により、ネットワークに接続される。ＬＡＮインターフェース１２１１Ｆは、無線ＬＡＮ通信部１２２５に接続されたネットワークにデータを送信するとともに、データを受信する。サーバーとして動作する当該計算機システムは、無線ＬＡＮ経由でクライアント端末との情報転送、同期などの処理を行なうようにしてもよい。
【手続補正９】
【補正対象書類名】明細書
【補正対象項目名】０１７４
【補正方法】変更
【補正の内容】
【０１７４】
移動予測アルゴリズム演算部１３０６は、センサー情報に基づいて特定又は推定されるクライアント端末の現在位置から、内容解析アルゴリズム演算部１３０５で予測された目的地への移動ルートを、移動予測アルゴリズムを用いて予測し、この移動予測情報を通信予測アルゴリズム演算部１３０７に供給する。
【手続補正１０】
【補正対象書類名】明細書
【補正対象項目名】０１８４
【補正方法】変更
【補正の内容】
【０１８４】
あるいは、クライアント端末側では、同期コントローラー１３０９から暗号化データを受信してプライベート・コンテンツとして保持し、オフライン状態に移行した際には事前に送られてきた共通鍵を用いて暗号化データを復号するとともに、同期コントローラー１３０９からの要求に応じてデータの再暗号化並びに共通鍵の削除が行なわれる。